(57)【特許請求の範囲】
【請求項１】
操作盤の表面に露出する主操作体(1a)、この主操作体(1a)に当接する補助操作体(1b)、及び、前記補助操作体(1b)の押し込みによって作動するスイッチ(3)のアクチェータ(31)とを直列に並設し、前記アクチェータ(31)の近傍の発光部(32)からの光を前記主操作体(1a)に至らしめるようにした発光式スイッチ操作機構において、前記補助操作体(1b)は、前記主操作体(1a)の裏面側に設けられ且前記操作盤におけるスイッチ(3) の収容部となる箱主体(1)の表面側の壁板の貫通孔に軸線方向移動自在に保持された透明な合成樹脂製の第２レンズ体(102)と、この第２レンズ体(102)における前記表面側に形成された凹陥部(103)に収容される透明な合成樹脂製の第１レンズ体(101)とからなり、前記第２レンズ体(102)の前記凹陥部(103)の底部が前記第１レンズ体(101)と同軸上にて重なるレンズ部とし、前記レンズ部及び前記第１レンズ体(101)を共に凸レンズとし、前記第２レンズ体(102)の前記レンズ部の裏面側の頂部中心を前記アクチェータ(31)に対向させた発光式スイッチ操作機構。
【請求項２】
前記凹陥部(103) の開放端内周から一定範囲入り込んだ位置までの範囲に環状段部(105)を形成し、前記第１レンズ体(101) の周縁には前記環状段部(105)と前記開放端との間に収容されるつば部(106)を設け、前記つば部(106)を前記環状段部(105)内に収容した状態で前記第２レンズ体(102) のレンズ部と前記第１レンズ体(101) とが同軸上にて当接する請求項１に記載の発光式スイッチ操作機構。
【請求項３】
補助操作体(1b)を軸線方向移動自在に収容する前記貫通孔は、前記スイッチ(3) を内蔵する箱主体(1) の表面に貼着され前記箱主体(1) の内外を水密状態に遮断する弾性合成樹脂製の被覆シート(171) によって被覆された請求項１又は請求項２に記載の発光式スイッチ操作機構。
【発明の詳細な説明】
【０００１】
【発明の属する技術分野】
この発明は発光式スイッチの操作機構、特に、浴室等の壁面に設置されることの多いリモコン操作盤等に内蔵される発光式スイッチ操作機構に関するものである。
【０００２】
【従来の技術】
この種のリモコン操作盤は、部屋の隅等比較的暗い部分の壁面に設置されることが多く、操作性を改善するには、各リモコン用の操作ボタンを明るく表示できるようにすることが重要であり、例えば、実開平５−８７７６１号として提案された操作ボタンは、図１に示すように、導通状態において発光状態となるスイッチ(3) と組み合わされ、このスイッチ(3) の操作部となるアクチェータ(31)に対向する補助操作体(1b)と、操作盤の表面に操作表面が露出し且前記補助操作体(1b)に対接する主操作体(1a)とからなる構成となっている。
【０００３】
このものでは、前記主操作体(1a)と補助操作体(1b)が共に発光部(32)からの光を集光、散乱させるべく機能するように、レンズ機能と、その素材表面の状態とにより光を散乱させる機能をそなえる。
従って、この従来のものでは、操作表面に達する光が前記主操作体(1a)の全体で散乱して前記主操作体(1a)が発光状態となる。
【０００４】
一方、このものでは、補助操作体(1b)はゴム系の素材からなると共に周縁は操作盤としての箱主体(1) に対して密着するように固定される。これにより、前記補助操作体(1b)は水密状態に添設固定されると共に前記箱主体(1) に対して一定ストローク昇降（前記アクチェータ(31)の動作方向の移動）が可能となっている。
【０００５】
また、前記主操作体(1a)は前記補助操作体(1b)と箱主体(1) との間に挟持されているから、主操作体(1a)は、前記水密を保ったままで前記補助操作体(1b)と共に前記昇降移動が可能となる。従って、主操作体(1a)を操作することによりスイッチ(3) が操作できる。
【０００６】
【発明が解決しようとする課題】
ところが、この従来のものでは、前記スイッチ(3)の発光部(32)からの光を主操作体(1a)の表面に十分に集光できないと共にこの部分で十分な光の散乱が生じないという問題があった。これは、補助操作体(1b)が一枚レンズ構成であることから十分な集光ができないからである。また、主操作体(1a)もレンズ機能があるが、この部分ではむしろ全体として散乱発光した外観となるようにすることが望ましく、この部分の集光機能は、主操作体(1a)を見やすくするためには、有効に機能しないからである。
【０００７】
請求項１の発明は、かかる点に鑑みてなされたものであり、『操作盤の表面に露出する主操作体(1a)、この主操作体(1a)に当接する補助操作体(1b)、及び、前記補助操作体(1b)の押し込みによって作動するスイッチ(3) のアクチェータ(31)とを直列に並設し、前記アクチェータ(31)の近傍の発光部(32)からの光を前記主操作体(1a)に至らしめるようにした発光式スイッチ操作機構』において、前記発光部(32)からの光が、主操作体(1a)に効率的に集光されると共にこの部分で十分に散乱するようにして主操作体(1a)を明るく散乱発光させるようにすることをその課題とする。
【０００８】
請求項２の発明は、請求項１の発明の課題を解決した上で、第１レンズ体(101) と第２レンズ体(102) との関係を正確に設定できるようにすることをその課題とする。
請求項３の発明は、スイッチ(3) を収容した操作盤内部への水密を確保した状態で前記課題を解決できるようにするものである。
【０００９】
【課題を解決するための手段】
前述した課題を解決するために講じた請求項１の発明の解決手段は、上記スイッチ操作機において、『前記補助操作体(1b)は、前記主操作体(1a)の裏面側に設けられ且前記操作盤におけるスイッチ(3) の収容部となる箱主体(1) の表面側の壁板の貫通孔に軸線方向移動自在に保持された透明な合成樹脂製の第２レンズ体(102) と、この第２レンズ体(102) における前記表面側に形成された凹陥部(103) に収容される透明な合成樹脂製の第１レンズ体(101) とからなり、前記第２レンズ体(102) の前記凹陥部(103) の底部が前記第１レンズ体(101) と同軸上にて重なるレンズ部とし、前記レンズ部及び前記第１レンズ体(101) を共に凸レンズとし、前記第２レンズ体(102) の前記レンズ部の裏面側の頂部中心を前記アクチェータ(31)に対向させた』ことである。
【００１０】
このものでは、スイッチ(3) は、主操作体(1a)の操作によって、これと連動する第１レンズ体(101) 及び第２レンズ体(102) からなる補助操作体(1b)によって押し込まれるアクチェータ(31)により、作動せしめられ接点が切り替わる。
そして、前記スイッチ(3) が「オン」になると、発光部(32)からの光が前記第２レンズ体(102) のレンズ部から第１レンズ体(101) を通して主操作体(1a)に達する。この二つを通過する間に前記発光部(32)の光りが効率的に集光される。つまり、発光部(32)からの光が主操作体(1a)に達するまでの間に前記光が逃散しにくいものとなる。
【００１１】
また、前記第１レンズ体(101) は第２レンズ体(102) における前記表面側（操作盤を基準とした場合のこの操作盤の表面の側）に形成された凹陥部(103) に収容されている。従って、この第２レンズ体(102) のレンズ部と第１レンズ体(101) との関係位置が正確に決定される。
請求項２の発明は、前記請求項１の発明において『前記凹陥部(103) の開放端内周から一定範囲入り込んだ位置までの範囲に環状段部(105)を形成し、前記第１レンズ体(101) の周縁には前記環状段部(105)と前記開放端との間に収容されるつば部(106)を設け、前記つば部(106)を前記環状段部(105)内に収容した状態で前記第２レンズ体(102) のレンズ部と前記第１レンズ体(101) とが同軸上にて当接する』ことである。
【００１２】
このものでは、第１レンズ体(101) を第２レンズ体(102) 内に収容することで第１レンズ体(101) と第２レンズ体(102) のレンズ部との軸線方向及び半径方向の位置が決定される。
請求項３の発明は、上記請求項１又は請求項２の発明において、『補助操作体(1b)を軸線方向移動自在に収容する前記貫通孔は、前記スイッチ(3) を内蔵する箱主体(1) の表面に貼着され前記箱主体(1) の内外を水密状態に遮断する弾性合成樹脂製の被覆シート(171) によって被覆された』ことである。
【００１３】
このものでは、リモコン操作盤等として前記箱主体(1) が利用された場合、スイッチ操作の可動部となる部分は、弾性合成樹脂製の被覆シート(171) によって内外を水密状態に遮断する。
【００１４】
【発明の効果】
請求項１の発明では、発光部(32)からの光が主操作体(1a)に達するまでの間に逃散しにくい構成となるから、主操作体(1a)が明るいものとなる。
請求項２の発明によれば、前記効果に加えて、第２レンズ体(102)のレンズ部と第１レンズ体(101)との軸線方向及び半径方向の位置が決定されるから、これらのレンズ部の関係が正確に位置決めされ、前記２つのレンズ部の組み合わせによる前記効果が一層向上する。
【００１５】
請求項３の発明によれば、補助操作体(1b)の前記表面側、及び、これと前記貫通孔との間の間隙の前記表面側が前期被覆シート(171) によって被覆されているから、スイッチ(3) を収容する箱主体(1) 内の水密が確保される。
【００１６】
【発明の実施の形態】
本発明は、例えば、給湯器付の風呂装置のリモコン操作盤に実施される。通常、この種のリモコン操作盤では、浴室用のリモコン操作盤（浴室リモコン）と台所に設置される主操作盤（メインリモコン）とがある。
この実施の形態は、図２以下に示すように、前記浴室リモコンに本発明が実施されたものである。
【００１７】
［カバー体(2) 及び主操作体(1a)］
この浴室リモコンでは水密性が要求されるが、図２の正面図（又は平面図）及び図４の断面図に示すように、基板(10)を収容し、スイッチ(3) や補助操作体(1b)等を内蔵した箱主体(1) と、この箱主体(1) の正面（又は平面）をカバーするカバー体(2) とからなる構成である。
【００１８】
前記浴室リモコンには、正面中央に４つの主操作体(1a)(1a)が縦横に並設され、その左側には、蛍光表示管式の発光表示ユニット(5) の正面をカバーする窓板(51)が露出している。この窓板(51)は光透過性合成樹脂からなる。右側には、左右方向外側に開く態様の蓋板(21)が設けられている。
前記箱主体(1) は、表面側半体(A) とこれの背面側に開放部を閉塞する底半体(B) とからなる。前記表面側半体(A) には、基板(10)が取付けられている。この基板(10)の表面側には、前記各主操作体(1a)によって操作されるスイッチ(3) 、隠しスイッチ(30)(30)、及び、前記発光表示ユニット(5) が取付けられ、背面側にはその他の制御素子が取付けられている。
【００１９】
各主操作体(1a)は、図１３、図１４に示すように、弾性板(13)の先端に取付けられた扁平なだ円球状のボタン部であり、前記カバー体(2)の中央域の裏側に片持ち状態に支持され、前記主操作体(1a)の表面部を前記カバー体(2)の前記中央域に設けた開口から露出させている。前記弾性板(13)は、図１４に示すように、１つの主操作体(1a)の外周胴部の両側から延びる一対の腕からなり、これら腕が連結桟(14)によって連結され、前記連結桟(14)が前記カバー体(2)の前記中央域の裏側に取付けられている。前記主操作体(1a)の裏面には光を散乱させる特性のある表示印刷層(11)が形成されている。この表示印刷層(11)の図柄は、夫々、運転動作と自動動作に対応したものとなっている。
【００２０】
前記表面側半体(A) の表面側の平面には、前記蓋板(21)によって被覆される範囲に隠しスイッチ(30)(30)の操作部となる補助操作面部(22)が設けられ、前記主操作体(1a)(1a)の背面側に一致する部分には補助操作体(1b)(1b)が設けられている。
前記補助操作面部(22)の表面は、図４の断面図に示すように、前記隠しスイッチ(30)(30)用の操作ボタン(301)(301)の配置部の表面全域が１枚の押えシート(172) によって被覆された構成であり、前記操作ボタン(301) と表面側半体(A) との可動間隙は前記押えシート(172) によって密封され、この操作部の水密が確保されている。なお、前記押えシート(172) における前記操作ボタン(301) と対向する部分は、表面側半体(A) に設けたボタン孔を閉塞する部分的な可動部で、これが操作部となる。
【００２１】
［補助操作体(1b)］
また、前記補助操作体(1b)は、図４及び図５の断面図に示すように、２つの合成樹脂製の第１レンズ体(101) 及び第２レンズ体(102) からなり、前記第２レンズ体(102) は周縁部からフランジ部が張り出し、このフランジ部の内周域に形成された凹陥部(103) 内に前記第１レンズ体(101) が収容されている。そして、これら２つの第１レンズ体(101) と第２レンズ体(102) が重なり合って、前記スイッチ(3) の発光部(32)からの光を主操作体(1a)の全域に効率的に集光できるようなレンズ構成としてある。
【００２２】
前記第２レンズ体(102) は、図５、図１１に示すように、前記凹陥部(103) の底部をレンズ部(104) とし、この裏面側の頂部アクチェータ(31)に当接している。そして、前記凹陥部(101) の開放端の内周部に環状段部(105) が所定の深さに形成されており、この環状段部(105)内に第１レンズ体(101) の周縁から張り出したつば部(106) が丁度収容されている。
【００２３】
前記補助操作体(1b)は前記表面側半体(A) に形成した凹陥部(18)に収容され、この凹陥部(18)内にて箱主体(1) における表面−裏面方向に往復移動可能に構成されている。なお、前記表面側半体(A) の表面側の平面で前記４つの補助操作体(1b)(1b)の配設部は、図５及び図１１のように、弾性合成樹脂シート又は柔軟な合成樹脂シートからなる押えシート(171) によって被覆される。従って、前記凹陥部(18)(18)に収容された補助操作体(1b)(1b)は移動自在に保持されると共にこの移動自在とするための間隙部等の表面側が前記押えシート(171) によって被覆されて、この部分の水密が確保される。なお、前記押えシート(171) による前記被覆状態では、前記つば部(106) が丁度前記環状段部(105) に収容されているから、前記箱主体(1) の表面と前記第１レンズ体(101) の表面とが滑らかに連続する構成となっている。
【００２４】
［窓板(51)の特徴］
前記窓板(51)は、表面側半体(A) と一体的に構成されているが、この実施例では、所謂２色成型により一体化している。前記発光表示ユニット(5) は扁平な直方体であり、その正面よりも少し小さい範囲が有効表示域であり、この有効表示域よりも僅かに小さな開口(25)が前記表面側半体(A) に形成される態様で、１回目の射出成型が実行され、その後、前記開口(25)を被覆する矩形の範囲に図４に示すように窓板(51)の部分を光透過性の所謂スモークタイプの合成樹脂により２回目の射出成型をする。これにより、カバー体(2) の正面に露出する前記窓板(51)の正面からの外観は、前記窓板(51)の周縁と前記開口(25)の周縁との間が、帯状に縁取りされた外観となる。この例では、前記窓板(51)を赤みがかったスモーク色とし、表面側半体(A) を薄いグレー色としている。これにより、前記縁取り部分は濃いグレー色に見えるものとなる。
【００２５】
上記構成の表面側半体(A) の周縁端面と底半体(B) の周縁端面との間に環状のパッキング(26)が介在されて水密が確保され、複数カ所をネジ止めすることにより、表面側半体(A) と底半体(B) とによって扁平な箱状の箱主体(1) が構成される。この状態では、補助操作面部(22)の部分及び補助操作体(1b)(1b)の配置部及び窓板(51)の配置部の各部の水密が上記のようにして確保されたものとなる。
【００２６】
なお、この例では、上記実施の形態箱主体(1) と同様に、前記表面側半体(A) の正面はカバー体(2) によってカバーされているが、このカバー体(2) に於ける前記窓板(51)と対応する部分には前記窓板(51)の表面側を嵌め込む開口(52)が形成されている。また、補助操作体(1b)(1b)の表面側には、実施の形態１の場合と同様に、弾性板(13)の先端に設けた主操作体(1a)(1a)が対接しており、この主操作体(1a)(1a)の表面側がカバー体(2) の表面に露出している。この主操作体(1a)の断面の構成及びカバー体(2) の裏面に取付けられる連結桟(14)を備える点も上記実施の形態１と同様である。
【００２７】
このものでは、スイッチ(3) の発光部(32)からの光は、第１レンズ体(101) 及び第２レンズ体(102) を介して前記主操作体(1a)の裏面の表示印刷層(11)に集光されるから、この表示印刷層(11)の散乱により当該部分の表示が透明の主操作体(1a)を介して浴室リモコンの正面からよくみえることとなる。
この箱主体(1) への電源コード及び信号コードは、底半体(B) の中央の筒部(6) に水密状態に嵌着したブッシング(61)に挿通させて、箱主体(1) 内に導入している。そして、この箱主体(1) 内で、前記スイッチ(3) 、隠しスイッチ(30)、及び、制御素子等に配線される。
【００２８】
［配線止め］
この底半体(B) の内面には、図７、及び、図８に示すような係止具(60)を設けている。この係止具(60)は、底半体(B) と一体に形成された扁平な中央突起(62)と、これを挟んで対向する扁平な挟持突起(63)(63)とからなり、前記中央突起(62)と前記挟持突起(63)の扁平な断面が相互に平行となる態様に前記各突起が並設された構成である。
【００２９】
前記中央突起(62)と挟持突起(63)との間の間隙は、その両端を除く部分では、前記突起先端に向かって徐々に広くなるようにし、各突起の断面の両端からリブ(R) が対向突出し、これらリブ(R)(R)の頂部相互の間隔は前記各突起の先端側から基端までの間でほぼ一定となっている。
従って、上記態様で箱主体(1) 内に導入されたコード類の弛みは、前記中央突起(62)と挟持突起(63)との間に押し込むと、前記リブ(R)(R)によって挟持される。従って、コード等は底半体(B) の内面に安定的に保持されることとなる。
【００３０】
なお、この実施の形態では、図４のように前記底半体(B) の背面と前記筒部(6) の背面側の端部とが同一平面に位置するように設定され、前記筒部(6) の外周域に環状の弾性パッキン(64)が添設固定されている。そして、底半体(B) の背面の周縁には同様な環状の弾性パッキン(65)が添設固定されている。従って、この箱主体(1) をネジ止め等の手段によって壁面に添設固定すると、前記ブッシング(61)によるシールに加えて前記環状の弾性パッキン(64)(65)により筒部(6) 内の水密が確保されたものとなる。
【００３１】
また、前記筒部(6) が底半体(B) の背面から突出しないから、壁面には前記電源コードや信号コードが挿通する穴があれば良く、浴室リモコン設置の為に大きな穴を開けたりする必要がない。
［補助操作体保持機構］
前記補助操作体(1b)(1b)の表面側の水密を図るために、図９〜図１１に示すように、これら補助操作体(1b)(1b)の配置部の表面側は押えシート(171) によって被覆されているが、前記押えシート(171) は表面側半体(A) の表面側表面に両面接着テープ(T) を用いて貼着されている。この例では、４つの補助操作体(1b)(1b)は正方形の各コーナに一致する位置に配置され、これらの補助操作体(1b)(1b)を収容する凹陥部(18)(18)の間は平面部となっている。そして、この平面で前記凹陥部(18)(18)を囲む範囲は、前記両面接着テープ(T) によって帯状に貼着され、それに加えて、一方の辺に平行な中間辺部も帯状に貼着されている。従って、これら両面接着テープ(T) の間では、補助操作体(1b)の表面側表面と前記押えシート(171) の背面とは自由状態にある。
【００３２】
このことから、主操作体(1a)によって前記補助操作体(1b)の表面を被覆する押えシート(171) を押し込んでスイッチ(3) を作動させるとき、押えシート(171) の裏面と補助操作体(1b)の表面との間には、一定の相対移動の自由度があるから操作感が良い。スイッチ(3) のクリック操作感がそのまま生かされ操作感となる。
【００３３】
［電気接続の実際］
なお、箱主体(1) 内で上記電源コード及び信号コードを接続するために、上記実施の形態２では、図１２に示すように、箱主体(1) 内の基板(10)の裏面側の空間の大きさは、前記コードを接続する為のコネクター(66)(67)を収容できる大きさとし、一方のコネクター(67)は、前記筒部(6) を挿通する電源コード及び／又は信号コードの前記箱主体(1) 側の端部に設けられている。
【００３４】
従って、このものでは、周縁の接合用のネジを外して、箱主体(1) を表面側半体(A) と底半体(B) とに分離した状態で、前記筒部(6) を挿通させた電源コード及び／又は信号コードの内側の端部に前記コネクター(67)を取付けて、これを表面側半体(A) 側の他方のコネクター(66)と接続すれば、電気接続できることとなる。このとき、前記各コードが箱主体(1) 内で絡まり易いが、前記接続作業の際に、底半体(B) 側の係止具(60)(60)を用いて前記各コードを係止できるので、作業性がよい。
【図面の簡単な説明】
【図１】従来例の要部説明図
【図２】本発明の実施の形態の平面図（又は正面図）
【図３】本発明の実施の形態の背面図（又は裏面図）
【図４】図２に於けるＸ−Ｘ線断面図
【図５】図２に於けるＹ−Ｙ線断面拡大図
【図６】前記実施の形態の浴室リモコンの底半体(B) の正面図
【図７】前記底半体(B) の係止具(60)の拡大平面図
【図８】前記係止具(60)の拡大側面図
【図９】押えシート(171) の平面図
【図１０】両面接着テープ(T) の平面図
【図１１】補助操作体(1b)の構造及び押えシート(171) の貼着構造の拡大図
【図１２】箱主体(1) 内のコード接続状態を示す分解断面図
【図１３】主操作体(1a)と弾性板(13)の関係を示す正面図
【図１４】主操作体(1a)と弾性板(13)の関係の側面図
【符号の説明】
(1) ・・・箱主体              (32)・・・発光部
(1a)・・・主操作体            (301) ・・操作ボタン
(1b)・・・補助操作体          (5) ・・・発光表示ユニット
(10)・・・基板                (51)・・・窓板
(11)・・・表示印刷層          (A) ・・・表面側半体
(13)・・・弾性板              (B) ・・・底半体
(14)・・・連結桟              (101) ・・第１レンズ体
(18)・・・凹陥部              (102) ・・第２レンズ体
(171) ・・押えシート          (103) ・・凹陥部
(172) ・・押えシート          (R) ・・・リブ
(21)・・・蓋板                (6) ・・・筒部
(22)・・・補助操作面部        (61)・・・ブッシング
(25)・・・開口                (60)・・・係止具
(26)・・・パッキング          (62)・・・中央突起
(3) ・・・スイッチ            (63)・・・挟持突起
(30)・・・隠しスイッチ        (64)・・・弾性パッキン
(31)・・・アクチェータ        (65)・・・弾性パッキン
(R) ・・・リブ                (T) ・・・両面接着テープ
(411) ・・凹部
尚、各図中同一符号は同一又は相当部分を示す。
【図１】
0003665685.tif 000002
【図２】
0003665685.tif 000003
【図３】
0003665685.tif 000004
【図４】
0003665685.tif 000005
【図５】
0003665685.tif 000006
【図６】
0003665685.tif 000007
【図７】
0003665685.tif 000008
【図８】
0003665685.tif 000009
【図９】
0003665685.tif 000010
【図１０】
0003665685.tif 000011
【図１１】
0003665685.tif 000012
【図１２】
0003665685.tif 000013
【図１３】
0003665685.tif 000014
【図１４】
0003665685.tif 000015